(57)【要約】【課題】本発明は、フィルム状廃棄物だけを容易に回収して分別することができるフィルム状廃棄物分別装置を提供することを目的とするものである。【解決手段】ベルトコンベヤ３１により連続搬送される固形廃棄物のうちフィルム状廃棄物を分別回収するフィルム状廃棄物分別装置３３は、ベルトコンベヤ３１の搬送ベルトの上方に開口する吸引ダクト３３０と、吸引ダクト３３０に接続するとともに内部に回収用のファンを備えた回収部３３１と、回収部３３１の下部に接続された排出ダクト３３３とを備え、ファンを回転駆動することで搬送ベルト上のフィルム状廃棄物を吸引ダクト３３０に吸い上げて回収部３３１に取り込みファンの回転動作に巻き込んで排出ダクト３３３からフィルム状廃棄物を排出する。【選択図】図２
2012210788.tif 000002
【特許請求の範囲】
【請求項１】
ベルトコンベヤにより連続搬送される固形廃棄物のうちフィルム状廃棄物を分別回収するフィルム状廃棄物分別装置であって、前記ベルトコンベヤの搬送ベルトの上方に開口する吸引ダクトと、前記吸引ダクトに接続するとともに内部に回収用のファンを備えた回収部と、前記回収部の下部に接続された排出ダクトとを備え、前記ファンを回転駆動することで前記搬送ベルト上のフィルム状廃棄物を前記吸引ダクトに吸い上げて前記回収部に取り込み前記ファンの回転動作に巻き込んで前記排出ダクトからフィルム状廃棄物を排出するフィルム状廃棄物分別装置。
【請求項２】
前記回収部は、前記ファンの回転軸が前記吸引ダクトの接続部分の中心軸に沿うように設定されている請求項１に記載のフィルム状廃棄物分別装置。
【請求項３】
前記ファンは、平板状に形成されて回転軸に直交する方向に９０度ずつずれた位置に取り付けられた４枚の羽根を備えている請求項１又は２に記載のフィルム状廃棄物分別装置。
【請求項４】
前記排出ダクトは、前記回収部の下部において下方に向かって延設されて下端部が開口している請求項１から３のいずれかに記載のフィルム状廃棄物分別装置。
【請求項５】
請求項１から４のいずれかに記載のフィルム状廃棄物分別装置を備えた廃棄物選別処理システム。
【発明の詳細な説明】
【技術分野】
【０００１】
本発明は、フィルム状廃棄物を分別して回収する廃棄物分別装置に関する。
【背景技術】
【０００２】
建築構造物の解体現場や建設現場では、家屋やビル等を一挙に解体すると、可燃物と不燃物が混在する混合廃棄物が多量に発生する。混合廃棄物には、コンクリート塊、残土、廃木材、紙くず、廃プラスチック、廃ボード、金属くず、陶器くず等が含まれており、多種類の材質のものが様々な大きさ及び形状で混在している。
【０００３】
混合廃棄物をそのままの状態で最終処分することは処分コストがかかることから、材質や大きさ等に応じて選別して再利用することが行われている。例えば、特許文献１では、建設廃棄物を通過廃棄物及び残留廃棄物に粗選別処理する粗選別機構、残留廃棄物をベルトコンベヤで搬送しながら人手によりプラスチックや金属片を分別する分別機構、通過廃棄物を含水率１７％以下となるまで乾燥させる乾燥機構、乾燥廃棄物から金属片等を回収する磁力選別機、乾燥廃棄物を比重差により重量物（小石、砂等）及び軽量物に選別する比重選別機構、比重選別機構からの排気を処理する集塵機及びサイクロン、軽量物を通過軽量物（残土等）及び残留軽量物（木片、紙片等）に細選別処理する細選別機構を備えた廃棄物選別処理システムが記載されている。
【０００４】
特許文献１に記載されているように、混合廃棄物を粗選別処理した後に残留廃棄物としてビニールシート等のフィルム状の廃棄物が分別対象となるが、こうした廃棄物を分別する場合には風力を用いて分別することが提案されている。例えば、特許文献２では、破砕物を輸送管内に投入して、破砕物を回転ドラムとともに回転する輸送管の送りスクリューにより移送し、ビニール等の比較的軽い可燃物を回転ドラムの環状通路内に噴出する空気の空気流によって移送して輸送管の後端開口４から排出するようにした回転式風力選別装置が記載されている。また、特許文献３では、一般家庭から出るプラスチックゴミ及び産業廃棄物よりなる廃プラスチックの分別と必要に応じて可能とする金属類の分別処理に関し、特に廃プラスチックをフィルム系と固形・ボトル系に大別し、フィルム系プラスチックに対して粉砕分別をし、後者の固形・ボトル系の特定プラスチックに対しては材質識別により分離し、それぞれの分別分離においてポリ塩化ビニールの分別単離の先行により可能にした廃プラスチック処理システムが記載されている。
【先行技術文献】
【特許文献】
【０００５】
【特許文献１】特開２００６−３１５０００号公報
【特許文献２】特開平６−２３３２５号公報
【特許文献３】特開２００３−１２６７８８号公報
【発明の概要】
【発明が解決しようとする課題】
【０００６】
上述した特許文献に記載されているように、フィルム状の廃棄物を風力で分別処理する場合、フィルム状の廃棄物を風力で分別可能となる程度に細切れに粉砕している。そのため、フィルム状廃棄物が長尺状のもののようにサイズが大きい場合でも一旦細切れにするための処理が必要となる。こうした処理を避けるためには、人手で廃棄物を分別する際にフィルム状廃棄物についても分別するようにしているが、長尺状のものを人手により回収するのは手間がかかり、また、回収する際にフィルム状の廃棄物に別の廃棄物が絡んだ状態で回収されてしまい、分別処理がきちんと行われないといった不都合があった。
【０００７】
そこで、本発明は、フィルム状廃棄物だけを容易に回収して分別することができるフィルム状廃棄物分別装置を提供することを目的とするものである。
【課題を解決するための手段】
【０００８】
本発明に係るフィルム状廃棄物分別装置は、ベルトコンベヤにより連続搬送される固形廃棄物のうちフィルム状廃棄物を分別回収するフィルム状廃棄物分別装置であって、前記ベルトコンベヤの搬送ベルトの上方に開口する吸引ダクトと、前記吸引ダクトに接続するとともに内部に回収用のファンを備えた回収部と、前記回収部の下部に接続された排出ダクトとを備え、前記ファンを回転駆動することで前記搬送ベルト上のフィルム状廃棄物を前記吸引ダクトに吸い上げて前記回収部に取り込み前記ファンの回転動作に巻き込んで前記排出ダクトからフィルム状廃棄物を排出する。さらに、前記回収部は、前記ファンの回転軸が前記吸引ダクトの接続部分の中心軸に沿うように設定されている。さらに、前記ファンは、平板状に形成されて回転軸に直交する方向に９０度ずつずれた位置に取り付けられた４枚の羽根を備えている。さらに、前記排出ダクトは、前記回収部の下部において下方に向かって延設されて下端部が開口している。
【発明の効果】
【０００９】
本発明は、上記の構成を備えることで、フィルム状廃棄物だけを容易に回収して分別することができる。
【図面の簡単な説明】
【００１０】
【図１】本発明に係る実施形態を備えた廃棄物選別処理システム全体の概略構成図である。
【図２】フィルム状廃棄物分別装置が設置された部分の拡大斜視図である。
【図３】フィルム状廃棄物分別装置に関する正面図及び側面図である。
【図４】図３（ａ）のＡ−Ａ断面図及び図３（ｂ）のＢ−Ｂ断面図である。
【図５】フィルム状廃棄物分別装置の動作状態を示す側面図及び正面図である。
【発明を実施するための形態】
【００１１】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１２】
図１は、本発明に係る実施形態を備えた廃棄物選別処理システム全体の概略構成図である。図１に示す廃棄物選別処理システムでは、まず、持ち込まれた廃棄物Ｗが搬送コンベヤ１により搬送されて粗選別機構２に投入される。粗選別機構２では、投入された廃棄物Ｗが所定の大きさの篩目により通過廃棄物Ｗ１及びＷ２が落下して粗選別処理され残留廃棄物Ｗ３が次の廃棄物分別機構３に移送される。
【００１３】
廃棄物分別機構３は、２階建ての建屋３０の２階部分にベルトコンベヤ３１が設置されており、残留廃棄物Ｗ３はベルトコンベヤ３１に移送されて建屋３０内を搬送される。ベルトコンベヤ３１の両側には複数の作業者Ｍが配置されており、搬送される残留廃棄物Ｗ３に対して作業者Ｍがペットボトル、空き缶、ビニールシート等のプラスチックフィルム、プラスチック片、金属片といったものを選別する。建屋３０の１階部分はベルトコンベヤ３１の搬送方向に沿って複数の仕切り壁により区切られており、区切られた区画毎に選別された廃棄物の収容場所３２となっている。そして、２階部分には選別された廃棄物を投入する複数のシュートがベルトコンベヤ３１の両側に設けられており、各シュートは床を貫通して１階部分の収容場所と連通している。作業者は、収容場所に対応する廃棄物を選別してシュートに投入することで、分別作業が行われるようになっている。
【００１４】
そして、ベルトコンベヤ３１の搬送方向上流側には、フィルム状廃棄物分別装置３３が設置されており、粗選別機構２から搬入された残留廃棄物Ｗ３からビニールシート等のフィルム状廃棄物を吸引して回収する。作業者Ｍの選別作業の前に取扱の面倒なフィルム状廃棄物を回収して分別するので、以後の人手による選別作業を容易に行うことができる。
【００１５】
分別処理された後の残留廃棄物Ｗ４が次の磁力選別処理のベルトコンベヤ４に移送される。ベルトコンベヤ４の搬送路の上方には磁力選別機５が設置されており、搬送される残留廃棄物Ｗ４から金属片等を磁力により吸着して回収する。磁力選別処理された後の残留廃棄物Ｗ５は次の風力選別機構６に移送される。風力選別機構６では、投入される残留廃棄物Ｗ５を落下させながら、上下に配置された２つのノズルから空気を吹き出して送風し、重量物である不燃物及び軽量物である可燃物に選別する。２つのノズルの吹き出し角度を調整することで、不燃物及び可燃物の選別を効率よく行うことができる。
【００１６】
図２は、フィルム状廃棄物分別装置３３が設置された部分の拡大斜視図である。フィルム状廃棄物分別装置３３は、ベルトコンベヤ３１の片側に隣接して設置されている。ベルトコンベヤ３１は、残留廃棄物Ｗ３を搬送する搬送ベルト３１０を備えており、搬送ベルト３１０の両側に一対の吸気ダクト３１１が取り付けられており、吸気ダクト３１１の内側に形成された複数の吸気口（図示せず）から搬送ベルト３１０の上方の空気を吸引する。そのため、残留廃棄物Ｗ３を人手で選別する際に発生する塵や埃を吸引して室内に拡散しないようにする。
【００１７】
フィルム状廃棄物分別装置３３は、搬送ベルト３１０上に開口する吸引ダクト３３０と、吸引ダクト３３０に接続するとともに内部に回収用のファンを備えた回収部３３１と、回収部３３１の下部に接続された排出ダクト３３３と、回収部３３１を支持するとともにファンを回転駆動するモータを収容する支持部３３２と、支持部３３２の下部に設けられた４つの脚部３３４とを備えている。
【００１８】
図３は、フィルム状廃棄物分別装置３３に関する正面図（図３（ａ））及び側面図（図３（ｂ））である。また、図４は、図３（ａ）のＡ−Ａ断面図（図４（ａ））及び図３（ｂ）のＢ−Ｂ断面図（図４（ｂ））である。吸引ダクト３３０は、断面矩形状の管路に形成されており、回収部３３１の正面側の側面のほぼ中央部分に取り付けられている。そして、吸引ダクト３３０は、回収部３３１から正面側に所定長さだけ突出してベルトコンベヤ３１に向かって折れ曲るように延設され、搬送ベルト３１０の上方で下方に折れ曲るように形成されて搬送ベルト３１０に近接して開口している。
【００１９】
回収部３３１は、直方体状の筺体の内部に４枚の羽根からなるファン３３５が収容されており、ファン３３５の回転軸は、吸引ダクト３３０の接続部分の中心軸（図４（ｂ）の吸引ダクト３３０の接続断面の対角線の交点を通る軸）に沿うように設定されている。ファンは４枚の羽根は、平板状に形成され、回転軸に直交する方向に９０度ずつずれた位置に取り付けられている。そして、平板状の羽根の面方向は、回転方向に直交するように設定されており、羽根の回転軸方向の幅は、回転軸に最も近い端部において筺体内の回転軸方向の幅よりもわずかに狭く回転軸から離れるに従い幅が狭くなるように設定されている。
【００２０】
また、回収部３３１の筺体の下面において、ベルトコンベヤ３１とは反対の端部側に排出ダクト３３３が接続されており、排出ダクト３３３は、下方に向かって延設されて下端部が床面に形成された投入口３２０に向かって開口している。そして、図４（ｂ）に示す矢印方向にファン３３５が回転することで、４枚の羽根が排出ダクト３３３に向かって下方に回動するように動作し、排出ダクト３３３に向かって回収部３３１の筺体内部の空気が押し出されるように排出される。
【００２１】
支持部３３２は、正面側に回収部３３１が支持固定されており、内部にファン３３５を回転駆動するモータ３３６が収容されている。支持部３３２の下部には、四隅に脚部３３４が固定されており、支持部３３２を所定の高さに位置決めしている。
【００２２】
図５は、フィルム状廃棄物分別装置３３の動作状態を示す側面図（図５（ａ））及び正面図（図５（ｂ））である。回収部３３１内のファン３３５が回転動作を行うと、排出ダクト３３３より空気が排出され、それに伴って吸引ダクト３３０から空気が吸引されるようになり、吸引ダクト３３０から回収部３３１を通り排出ダクト３３３に抜ける連続した気流が生じるようになる。
【００２３】
ベルトコンベヤ３１の搬送ベルト３１０で搬送される残留廃棄物Ｗ３のうちビニールシート等のサイズの大きなフィルム状廃棄物は、吸引ダクト３３０から吸引される気流とともに吸い上げられていき、回収部３３１のファン３３５の回転中心軸に向かって移送される。回収部３３１の筺体内部に取り込まれてフィルム状廃棄物はファン３３５の回転動作により回転方向に巻き込まれて、気流とともに排出ダクト３３３から排出され、投入口３２０に投入されるようになる。
【００２４】
このように、フィルム状廃棄物が回収部３３１内に取り込まれてファン３３５に巻き付くことなく排出ダクト３３３からスムーズに排出されるようになるので、長尺状のフィルム状廃棄物であっても先端部分から順次回収部３３１に取り込まれて排出ダクト３３３から排出することができる。そのため、手作業で分別する場合に比べて速やかに回収することが可能となり、ベルトコンベヤで廃棄物を搬送しながらスムーズに分別作業を行うことができる。
【００２５】
また、フィルム状廃棄物が吸引ダクト３３０から上方に引き上げるように吸引されるので、フィルム状廃棄物に付着する金属片や木片等の付着物や絡まっている重量物が振り落とされ、フィルム状廃棄物のみを効率よく分別処理することができる。
【符号の説明】
【００２６】
１・・・搬送コンベヤ、２・・・粗選別機構、３・・・廃棄物分別機構、４・・・ベルトコンベヤ、５・・・磁力選別機、６・・・風力選別機構、３０・・・建屋、３１・・・ベルトコンベヤ、３２・・・収容場所、３３・・・フィルム状廃棄物分別装置
【図１】
2012210788.tif 000003
【図２】
2012210788.tif 000004
【図３】
2012210788.tif 000005
【図４】
2012210788.tif 000006
【図５】
2012210788.tif 000007